(57)【要約】【課題】ＣＤ、ＤＶＤ、ミニディスクなどのディスクを回転させるブラシレスモータに使用される抜け止め部材において、組み立て後の分解が容易であり、抜け止め部材の固定が容易なブラシレスモータの提供を目的とする。【解決手段】抜け止め部材１０をカバー１７の外側に設けることにより、分解が容易となり、抜け止め部材１０をシール状の粘着部材１３ａ若しくは接着剤１３ｂにて固定することにより材料費や組み立て時間の削減ができる。【選択図】図１
2006042491.tif 000002
【特許請求の範囲】
【請求項１】
回転軸と、前記回転軸に固定された回転体と、前記回転体に固定されたロータマグネットと、を備えたロータ及び、取り付け板と、前記回転軸を回転自在に保持する軸受と、前記軸受を保持するハウジングと、前記ロータマグネットに対向して配置される銅線の巻かれたステータコアと、前記回転軸の一端を摺動自在に支持する摺動部材と、前記摺動部材を保持するカバーと、抜け止め部材と、を固定したステータを組み合わせてなるブラシレスモータにおいて、前記抜け止め部材は前記カバーの外側から取り付けられることを特徴とするブラシレスモータ。
【請求項２】
前記抜け止め部材は、シール状の粘着部材若しくは接着剤にて前記カバーに固定されることを特徴とするブラシレスモータ。
【発明の詳細な説明】
【技術分野】
【０００１】
本発明は、ＣＤ、ＤＶＤ、ミニディスクなどのディスクを回転させるブラシレスモータの、ロータの抜け止め構造に関するものである。
【背景技術】
【０００２】
従来より、ブラシレスモータには、ロータマグネットとステータコアとの磁気吸引力を上回る荷重がモータに加わった場合のロータの脱落を防止するため、抜け止め構造が付加されている。抜け止め構造は、回転軸の一部に溝を設け、その溝に抜け止め部材を係合させる構造が一般に採用されている（例えば特許文献１参照）。
【０００３】
また、ハウジングに係合部を設け、ハウジングに対向するロータ部に抜け止め部材を設けこれらを係合させる構造なども採用されている。
【０００４】
図４に従来のブラシレスモータの構造を示す。図４において４１は回転軸、４５は抜け止め部材、４２は軸受、４３は係合部、４４は導入部である。抜け止め部材４５は弾性を有する。ブラシレスモータを組み立てる際、回転軸４１を軸受４２に挿入していくと、抜け止め部材４５の先端が導入部４４に接触し、さらに回転軸４１を挿入していくと抜け止め部材４５の弾性により導入部４４の外径方向に広がり、さらに回転軸４１を挿入していき抜け止め部材４５の先端が導入部４４の外径を通過した時点で導入部４４の外形より弾性によって小さくなるため元の形状に戻り、よって係合部４３に抜け止め部材４５の先端が入り込んで抜け止めとして機能するようになるものである。
【特許文献１】特許第3003763号公報（第７頁、図１）
【発明の開示】
【発明が解決しようとする課題】
【０００５】
しかしながら、上記従来の構成では、抜け止め部材がブラシレスモータの外部より操作しにくいため組み立て後の分解、補修が困難であるという課題があった。またブラシレスモータの狭小な部分に抜け止め部材を固定するのが困難であるという課題があった。
【０００６】
本発明は、このような従来の課題を解決するものであり、組み立て後も分解が容易であり、抜け止め部材の固定が容易なブラシレスモータを提供することを目的とする。
【課題を解決するための手段】
【０００７】
上記課題を解決するために本発明は、抜け止め部材をカバーの外側に固定する構成としたものである。
【発明の効果】
【０００８】
請求項１記載の発明によれば、モータの分解が容易であるという有利な効果が得られる。
【０００９】
また、請求項２記載の発明によれば、抜け止めの固定が容易であるという効果が得られる。
【発明を実施するための最良の形態】
【００１０】
本発明の請求項１に記載の発明は、回転軸と、前記回転軸に固定された回転体と、前記回転体に固定されたロータマグネットと、を備えたロータ及び、取り付け板と、前記回転軸を回転自在に保持する軸受と、前記軸受を保持するハウジングと、前記ロータマグネッ
トに対向して配置される銅線の巻かれたステータコアと、前記回転軸の一端を摺動自在に支持する摺動部材と、前記摺動部材を保持するカバーと、を固定したステータを組み合わせてなるブラシレスモータにおいて、前記抜け止め部材は前記カバーの外側から取り付けられるものであり、組み立て後も分解が容易という作用を有する。
【００１１】
請求項２に記載の発明は、前記抜け止め部材は、シール状の粘着部材若しくは接着剤にて前記カバーに固定されるものであり、抜け止め部材の固定が容易であるという作用を有する。
【実施例】
【００１２】
以下本発明を実施するための最良の形態について、図面を参照して説明する。
【００１３】
（実施の形態１）
図１において２はロータフレームであり、中央に回転軸３を固定し、内周側にはロータマグネット４が取り付けられている。ロータの回転軸３はハウジング８に保持された軸受７により回転自在に支承されている。ロータマグネット４の内側には銅線６が巻装されたステータコア５が対向して配設されている。ステータコア５は、有底カップ形状のカバー１７の開放側の外周に取り付けられ、カバー１７はモータの取り付け板１６の中央に形成されたバーリング部に圧入等により固定されている。カバー１７の内周側にはハウジング８が圧入等により固定されている。そして、カバー１７の底部には回転軸３の反出力側の端部１５を軸方向に支承する摺動部材１２が配設されている。１０は抜け止め部材で、弾性体を略コ字形状に折り曲げ、その先端には内側に向けて係止爪部１４が向かい合うように折り曲げて形成されている。カバー１７の底部に形成された２箇所の孔９を介して抜け止め部材１０の係止爪部１４がカバー１７の外側から挿入され、カバー１７の底部外側の面と密着させてシール状の粘着部材１３ａにより固定されている。一方、回転軸３の反出力側の端部１５の近傍には溝状の係合部１１が形成されている。以上により構成されるブラシレスモータ１を組み立てる時は、回転軸３を軸受７に挿入すると端部１５が抜け止め部材１０の係止爪部１４に当接する。抜け止め部材１０は弾性体で構成されるので回転軸３の端部１５は係止爪部１４を横方向に押し広げて通過し、更に挿入すると係止爪部１４は弾性復元力により回転軸３の係合部１１の内側に入り込み、カバー１７の底部に配設された摺動部材１２に端部１５の先端が当接して組み立てが完了する。係止爪部１４の折り曲げ角度は、端部１５の挿通が容易に出来るように直角よりやや鋭角に設定することが好ましい。回転軸３が出力側方向に移動しようとする時には、抜け止め部材１０の係止爪部１４が回転軸３の係合部１１に当接して回転軸３が抜け出すのを防止できる。そして、シール状の粘着部材１３ａを剥がしてカバー１７から抜け止め部材１０を取り外すことにより、モータを容易に分解する事ができる。
【００１４】
（実施の形態２）
図２は実施の形態２によるブラシレスモータを示す断面図である。上記実施の形態１とは抜け止め部材１０をカバー１７に固定する手段として接着剤１３ｂを使用した点である。
この実施例によれば、より大きな抜け止め部材１０の固定強度が得られる。
【００１５】
ブラシレスモータの組み立て時以外には抜け止め部材１０が抜ける方向へ荷重が掛かることは無い。従って組み立て時には図３に示すように抜け止め部材１０が抜ける方向１８への荷重を治具等で受ければよい。そのため抜け止め部材１０の固定方法はシール状の粘着部材１３ａもしくは接着剤１３ｂといった簡易なものでよいため、ブラシレスモータの材料費や組み立て時間を削減でき、組み立て設備も簡易にできる。なお、抜け止め部材１０のカバー１７への固定方法は、上記実施例に限定されるものではなく、例えばスポット溶接、弾性による圧入等の様々な手段も可能である。
【００１６】
なお、抜け止め部材１０の材料については、弾性を有するものであれば、樹脂あるいは金属等特に限定せずに実施可能である。
【産業上の利用可能性】
【００１７】
本発明のブラシレスモータは、ＣＤ、ＤＶＤ、ミニディスクなどのディスクを回転させるブラシレスモータとして有用である。
【００１８】
しかしこれに限定せず本発明のブラシレスモータは、その他の媒体を使用する情報記録再生装置などや、各種動力用モータにも適用できる。
【図面の簡単な説明】
【００１９】
【図１】本発明の実施例１によるブラシレスモータを示す断面図
【図２】本発明の実施例２によるブラシレスモータを示す断面図
【図３】本発明のブラシレスモータの組み立て時の状態を示す断面図
【図４】従来のブラシレスモータの断面図
【符号の説明】
【００２０】
１  ブラシレスモータ
２  ロータフレーム
３、４１  回転軸
４  ロータマグネット
５  ステータコア
６  銅線
７、４２  軸受
８  ハウジング
９  孔
１０、４５  抜け止め部材
１１、４３  係合部
１２  摺動部材
１３ａ  シール状の粘着部材
１３ｂ  接着剤
１４  係止爪部
１５  端部
１６  取り付け板
１７  カバー
１８  抜け止め部材１０が抜ける方向
４４  導入部
【図１】
2006042491.tif 000003
【図２】
2006042491.tif 000004
【図３】
2006042491.tif 000005
【図４】
2006042491.tif 000006